(57)【特許請求の範囲】
【請求項１】
Ｈ型鋼による支持材（Ａ）の横板（ａ）に個別に係止・解除可能な２つの係止部（１）と、係止部（１）を取付けた二枚の取付け部材（４、５）を備え、係止部（１）は支持材（Ａ）の横板（ａ）の長手方向に幅が広く、二枚の取付け部材（４、５）はＸ字状に交差させて交差部（１９）を開閉可能に連結して交差部（１９）よりも下部（４ａ、５ａ）に吊り足場吊り下げ用の索条（Ｃ）を連結可能な索条連結部（２）を設け、索条連結部（２）に連結された索条（Ｃ）に荷重が掛かって索条連結部（２）が下方に引かれると二枚の取付け部材（４、５）の上部（４ｂ、５ｂ）が互いに閉じる方向に力が加わって両係止部（１）による支持材（Ａ）の横板（ａ）の挟着が強くなり、両取付け部材（４、５）の交差部（１９）よりも上端側に互いに連結・解除可能なストッパー（３）が設けられ、ストッパー（３）は一方の取付け部材（４）の交差部（１９）よりも上方位置に取付けたブラケット（１０）と、ブラケット（１０）に回動自在に取付けた螺子杆（１２）と、他方の取付け部材（５）の交差部（１９）よりも上方位置に取付けた受具（１３）とから構成され、受具（１３）には螺子杆（１２）の先端側を嵌合、離脱可能な受凹部（１４）が形成され、受凹部（１４）に嵌合した螺子杆（１２）に受具（１３）の外側からナット（１６）を締付けると螺子杆（１２）が受具（１３）に固定されて受凹部（１４）からの抜けが阻止されて両取付け部材（４、５）の上部（４ｂ、５ｂ）の開きが阻止され、ナット（１６）を緩めて螺子杆（１２）を受凹部（１４）から外すと両取付け部材（４、５）の先端部が開くようにしたことを特徴とする吊り足場用索条取付け具。
【発明の詳細な説明】
【０００１】
【発明の属する技術分野】
本発明は高速道路や橋脚等の裏側に吊り足場材を吊り下げる場合に、吊り下げ用のチェーン、ワイヤ等の索条を、高速道路や橋脚等の支持材の裏側に取付けるための吊り足場用索条取付け具に関するものである。
【０００２】
【従来の技術】
高速道路や橋梁等の建設工事、改修工事を始めとする各種の建設、土木工事では、吊り足場材をチェーン、ワイヤ等の索条により、高速道路や橋脚等の桁材や高欄等に吊下げ、吊下げた多数枚の吊り足場材を連結して吊り足場とし、その上で各種作業をしている。
【０００３】
吊り足場材を支持する索条を桁材に吊下げる場合、現在は図５に示すようなクランプＤが使用されている。このクランプＤは挟着部Ｆとその下に突設されたリング状の索条連結部Ｇとからなる。挟着部Ｆは図５に示す様に、側面形状がコ字状の本体Ｈの上板ＩにボルトＪを螺子込み、そのボルトＪの下に昇降板Ｋを取り付けてあり、ボルトＪを時計方向に回転させると昇降板Ｋが降下して昇降板Ｋと本体Ｈの下板Ｌとの間の間隔が狭くなり、ボルトＪを逆回転させると昇降板Ｋが上昇して昇降板Ｋと本体Ｈの下板Ｌとの間の間隔が広くなるようにしたものである。このクランプＤを使用する場合は、図６に示す様に、昇降板Ｋと本体Ｈの下板Ｌとの間の空間を桁材Ｘの下フランジＥに被せてから、ボルトＪを時計方向に回転させて昇降板Ｋを降下させ、下板Ｌと昇降板Ｋとにより下フランジＥを挟着保持し、その状態で索条連結部Ｇの通孔Ｍに索条Ｃを通して索条Ｃを係止し、その索条Ｃの下部に吊り足場材Ｂを係止して吊下げる。
【０００４】
【発明が解決しようとする課題】
図５に示すクランプＤを使用して桁材Ｘに索条Ｃを取付けると次の様な課題があった。
１．吊り足場の上で行なう作業の一つに吸音板Ｎの取付け作業がある。吸音板Ｎは騒音公害を低減するために高速道路や橋梁等の裏面に取付けられるものである。図６に示す様に、吸音板Ｎは桁材（主桁）Ｘの下方にそれと直交する方向に一定間隔で取付けられたＨ型鋼（横梁）Ｏの上フランジＰと、下フランジＱとの間に嵌込んで配置するため、桁材Ｘから吊下げられた索条Ｃが邪魔になり、その部分には吸音板Ｎを配置することができず、未施工部分Ｒとして残ってしまう。そこで吸音板Ｎを施工する前に桁材Ｘに吊下げられている索条Ｃを横梁Ｏに付け替え（盛り替え）る必要があるが、図５に示すクランプＤを横梁Ｏに装着したのでは、クランプＤの挟着部Ｆが横梁Ｏの上下のフランジＰ、Ｑ間に突出するため、その上下のフランジＰ、Ｑ間に吸音板Ｎを嵌込むことができない。
２．図５に示すクランプＤを、桁材Ｘや横梁Ｏ等に取付ける場合、それらの下に先に吊下げた吊り足場材の上に作業員が載って、桁材Ｘや横梁Ｏの下から上方に手を伸ばして取り付けるため、桁材Ｘの下フランジＥ又は横梁Ｏの下フランジＱが邪魔になって、それらの上に位置する挟着部ＦのボルトＪを作業員が手で回しにくくなり、装着作業が面倒になる。
【０００５】
【課題を解決するための手段】
本発明の目的は前記課題を解決することにあり、桁材や横梁等への装着が容易で、使い勝手がよく、横梁に吸音板を施工する際に邪魔になることもない吊り足場用索条取付け具を提供することにある。
【０００６】
本件出願の発明は、Ｈ型鋼による支持材Ａの横板ａに個別に係止・解除可能な２つの係止部１と、係止部１を取付けた二枚の取付け部材４、５を備え、係止部１は支持材Ａの横板ａの長手方向に幅が広く、二枚の取付け部材４、５はＸ字状に交差させて交差部１９を開閉可能に連結して交差部１９よりも下部４ａ、５ａに吊り足場吊り下げ用の索条Ｃを連結可能な索条連結部２を設け、索条連結部２に連結された索条Ｃに荷重が掛かって索条連結部２が下方に引かれると二枚の取付け部材４、５の上部４ｂ、５ｂが互いに閉じる方向に力が加わって両係止部１による支持材Ａの横板ａの挟着が強くなり、両取付け部材４、５の交差部１９よりも上端側に互いに連結・解除可能なストッパー３が設けられ、ストッパー３は一方の取付け部材４の交差部１９よりも上方位置に取付けたブラケット１０と、ブラケット１０に回動自在に取付けた螺子杆１２と、他方の取付け部材５の交差部１９よりも上方位置に取付けた受具１３とから構成され、受具１３には螺子杆１２の先端側を嵌合、離脱可能な受凹部１４が形成され、受凹部１４に嵌合した螺子杆１２に受具１３の外側からナット１６を締付けると螺子杆１２が受具１３に固定されて受凹部１４からの抜けが阻止されて両取付け部材４、５の上部４ｂ、５ｂの開きが阻止され、ナット１６を緩めて螺子杆１２を受凹部１４から外すと両取付け部材４、５の先端部が開くようにしたものである。
【０００７】
【０００８】
【０００９】
【００１０】
【発明の実施の形態】
（実施の形態１）
本発明の吊り足場用索条取付け具の第１の実施形態を図１に基づいて詳細に説明する。図１に示す吊り足場用索条取付け具は、支持材Ａに係止・解除可能な２つの係止部１が上部に、吊り足場材Ｂを吊るための索条Ｃを連結可能な索条連結部２が下部に設けられている。
【００１１】
前記係止部１及び索条連結部２は上部にＬ字状の係止部１が、下部に縦長楕円形のリング状の索条連結部２が形成された２枚の金属製の取付け部材４、５を重ね、その２枚の取付け部材４、５の係止部１と索条連結部２との間を連結材６により連結して、両取付け部材４、５の係止部１と索条連結部２とがＸ字状（図１の矢印ａ−ａ方向）に開閉可能として、索条連結部２に荷重が掛かって２つの索条連結部２が閉じると、２つの取付け部材４、５の係止部１には自動的に閉じる方向の力が加わり、索条連結部２に荷重が掛かれば掛かる程、２つの係止部１が強く閉じるようにしてある。本実施例では連結材６としてボルトを使用してある。
【００１２】
前記係止部１は幅の広い金属材をＬ字状に曲げて係止部１を形成した係止部材７の下部を、２つの取付け部材４、５の夫々の上部に溶接により固定して、係止部１同士を対向させてある。この場合、係止部材７の下部に縦溝を形成し、それを取付け部材４、５に被せて溶接するとか、逆に取付け部材４、５に縦溝を形成し、それに係止部材７の下部を差し込んで溶接するなどして、連結を強固にしてある。前記索条連結部２はチェーン、ワイヤ等の索条Ｃを通すことができるようにしてある。
【００１３】
前記２つの係止部１には、それが不用意に開かないようにするためのストッパー３を設けてある。このストッパー３は一方の取付け部材４の表面に溶接により固定したブラケット１０に、止めピン１１によって同図の矢印ｃ−ｄ方向に回動自在に取付けた螺子杆１２と、他方の取付け部材５の表面に溶接により固定した受具１３とから構成され、受具１３に螺子杆１２を押込み可能な略Ｕ字状の受凹部１４が横に開口するように形成されている。このストッパー３は、螺子杆１２を矢印ｃ方向に回動させてその先端部１５を受具１３の受凹部１４に押込み、当該先端部１５に受具１３の外側からナット１６を締付けると、螺子杆１２が受具１３に固定されて受凹部１４から抜けなくなり、これにより２枚の取付け部材４、５が不用意に開かないようにしてある。この係止を解除するには、ナット１６を緩めてから、螺子杆１２を矢印ｄ方向に回動させて、受具１３の受凹部１４から外せばよい。
【００１４】
（使用例）
図１に示す本発明の吊り足場用索条取付け具２０を使用して、桁材（主桁）Ｘに吊下げてある索条Ｃを横梁Ｏに盛り替えて、同横梁Ｏに吸音板Ｎを取付けるには例えば次の様にする。
１．図２（ａ）に示す様に、係止部１を同図に仮想線で示す位置まで回動させて、２つの係止部１を横梁Ｏの下フランジＱの幅より広くなるまで開き、その状態で２つの係止部１を下フランジＱの上に被せてから、２つの索条連結部２をその間隔が狭くなるように回動させて、２つの係止部１をもその間隔が狭くなるように回動させて、図２（ａ）に実線で示す位置まで２つの係止部１の間隔を狭める（閉じる）。これにより両係止部１が図２（ｂ）に示す様に、横梁Ｏの下フランジＱを両外側から挟着保持して、下フランジＱに係止する。
２．次に、夫々の吊り足場用索条取付け具２０のストッパー３の螺子杆１２を受具１３の受凹部１４に押込み、受具１３の外側からナット１６を締付けて、両係止部１をストッパー３で固定する。
３．前記１、２のようにして、多数の吊り足場用索条取付け具２０を横梁Ｏの下フランジＱに所定間隔で取付ける。
４．横梁Ｏの下フランジＱに取付けた吊り足場用索条取付け具２０の索条連結部２に、索条Ｃを取付ける。本実施例では図３及び図４に示す様に１つの吊り足場用索条取付け具２０の索条連結部２に３本の索条Ｃを取付け、夫々の索条Ｃを吊り足場材Ｂに係止して吊り足場材Ｂを吊る。
５．全ての索条Ｃを吊り足場材Ｂに連結したら、図６のように桁材Ｘに取付けてあるクランプＤを取外し、同クランプＤによって桁材Ｘから吊下げられていた索条Ｃを吊り足場材Ｂから取外す。
６．図４に示す様に横梁Ｏの上下のフランジＰ、Ｑの間に、同横梁Ｏの端部から吸音板Ｎを嵌込んで固定する。
【００１５】
上記使用例は、本発明の吊り足場用索条取付け具を使用して主桁Ｘに吊下げてある吊り足場材Ｂを横梁Ｏに付替える（盛り替える）ものであるが、本発明の吊り足場用索条取付け具は盛り替えだけではなく、図５に示す従来のクランプＤの代わりに主桁Ｘに索条Ｃを取付けるためにも使用することもできる。この場合、主桁Ｘの下フランジＥは横梁Ｏの下フランジＱに比べて幅が広く、肉厚も厚いため、主桁Ｘに使用するときには本発明の吊り足場用索条取付け具のサイズを主桁Ｘの下フランジＥに合わせて変更する。
【００１６】
【発明の効果】
本発明の吊り足場用索条取付け具は次のような効果がある。
１．対向する２つの係止部を、支持材の下方からそのフランジに係止するだけで、支持材に取付けることができるので、取付け作業が簡単である。
２．従来のクランプＤはボルトをねじ込んで横梁の下フランジに固定するようにしてあったが、本件発明の吊り足場用索条取付け具はボルトをねじ込む必要がないため、それを横梁の下フランジに係止する場合に横梁の下フランジが邪魔になって作業がしにくいといった不都合もない。
【００１７】
２つの係止部の回動を規制・解除可能なストッパーが設けられているので、上記効果に加えて、係止部の係止が不用意に外れることがなく、安全性が高まるという効果もある。
【００１８】
上部に係止部が、下部に索条連結部が形成された２つの取付け部材を重ね、その２つの取付け部材の係止部と索条連結部との間を連結材により連結して、Ｘ字状に開閉可能としてあるので、索条連結部に荷重が掛かって２つの索条連結部が閉じると、２つの取付け部材の係止部には自動的に閉じる方向の力が加わり、索条連結部に荷重が掛かれば掛かる程、２つの係止部が強く閉じて、係止部が支持材から外れにくくなり、安全性が向上する。
【００１９】
平板状である２つの取付け部材の上部に、幅の広い板材をＬ字状に曲げて係止部を形成した係止部材を、係止部が対向する様に取付けたので、幅の広い係止部が横梁の下フランジへ確実に係止し、係止部が支持材から外れにくくなり、安全性が高まる。
【図面の簡単な説明】
【図１】  本発明の吊り足場用索条取付け具の実施形態の第１の例を示す斜視図。
【図２】  （ａ）は本発明の吊り足場用索条取付け具の動きを示す説明図、（ｂ）は本発明の吊り足場用索条取付け具に索条を取付けた状態を示す側面図。
【図３】  本発明の吊り足場用索条取付け具の使用例を示す斜視図。
【図４】  本発明の吊り足場用索条取付け具の使用例を示す側面図。
【図５】  従来のクランプの斜視図。
【図６】  図５に示すクランプの使用状態を示す斜視図。
【符号の説明】
１  係止部
２  索条連結部
３  ストッパー
４  取付け部材
５  取付け部材
６  連結材
７  係止部材
Ａ  支持材
Ｂ  吊り足場材
Ｃ  索条
【図１】
0004070319.tif 000002
【図２】
0004070319.tif 000003
【図３】
0004070319.tif 000004
【図４】
0004070319.tif 000005
【図５】
0004070319.tif 000006
【図６】
0004070319.tif 000007